(57)【要約】【課題】笠木部材を継ぎ足して延長したり、笠木役物を用いて直角のコーナーなどに組合わせる場合において、隙間が目立たないようにしつつ、美観や手触りを改善する。【解決手段】直角コーナーの笠木役物１３と笠木部材１１，１２とを組合わせるにあたって、間に介在部材１４，１５を設け、その介在部材１４，１５を、工場での加工によって高い平坦度で面一に形成される笠木役物１３の端面に密着固定される板状の嵌入部と、その板状の嵌入部における側方および上方の外周縁から曲折される覆い部とを備えて構成する。したがって、腰壁の歪みや直角コーナーの角度が出ていなかったりして、或いは現場での笠木部材１１，１２の切断による切断面の傾きや荒れなどによって生じる隙間を、覆い部で覆い隠すことができる。また、覆い部は笠木部材の短手（幅）方向に帯状に延びて隆起しているだけであり、美観や手触りが大きく変化することはない。【選択図】図１
2016023456.tif 000002
【特許請求の範囲】
【請求項１】
笠木部材の端部同士、或いは２本の笠木部材のコーナーに設けられる笠木役物と少なくとも一方の笠木部材の端部との間の連結部の構造において、
前記笠木部材の端部同士の間、或いは笠木役物と少なくとも一方の笠木部材の端部との間に嵌り込む板状の嵌入部と、前記板状の嵌入部における側方および上方の外周縁から、曲折されて、前記板状の嵌入部の厚み方向の一方側に延びる覆い部とを備えて構成される介在部材を備え、
連結される前記笠木役物または笠木部材の少なくとも一方の端面は面一に形成されて、該端面に前記板状の嵌入部の一方の面が密着固定され、かつ前記覆い部が前記板状の嵌入部の他方の面側から、前記一方の面とは反対方向に延びて形成され、
前記覆い部の長さは、前記笠木部材の端部同士間、或いは笠木役物と笠木部材の端部との間の隙間より長く形成されることを特徴とする笠木部材の連結部構造。
【請求項２】
前記板状の嵌入部の外周縁側の基端部およびその反対の前記覆い部の遊端部は、所定の厚みで隆起した後、斜面に形成されていることを特徴とする請求項１記載の笠木部材の連結部構造。
【請求項３】
前記板状の嵌入部の外周縁側の基端部およびその反対の前記覆い部の遊端部は、所定の厚みで隆起した後、円弧面に形成されていることを特徴とする請求項１記載の笠木部材の連結部構造。
【請求項４】
前記円弧面は、嵌入部の基端部および覆い部の遊端部側に比べて、中央部の曲率が大きく形成されることを特徴とする請求項３記載の笠木部材の連結部構造。
【請求項５】
前記覆い部の幅は、１０ｍｍであることを特徴とする請求項１〜４の何れか１項に記載の笠木部材の連結部構造。
【請求項６】
前記覆い部の最大高さは、５ｍｍであることを特徴とする請求項５記載の笠木部材の連結部構造。
【請求項７】
前記笠木役物は、前記２本の笠木部材と同一形状の２つの部材を、予め４５°の切断面で切断し、その切断面が密着するように、該２つの部材が接合されて成り、
前記介在部材は、前記２本の笠木部材の端部と、前記笠木役物との２箇所の連結部に介在され、前記嵌入部は、笠木役物の端面に密着固定されることを特徴とする請求項１〜６の何れか１項に記載の笠木部材の連結部構造。
【請求項８】
前記介在部材は、壁面と笠木部材との間に介在されて、前記嵌入部の一方の面が前記壁面に密着固定されることを特徴とする請求項１〜７の何れか１項に記載の笠木部材の連結部構造。
【請求項９】
笠木部材の端部と、他の部材との間の連結部に用いられる介在部材であって、該介在部材は、
前記笠木部材の端部と前記他の部材との間に嵌り込む板状の嵌入部と、
前記板状の嵌入部における側方および上方の外周縁から、曲折されて、前記板状の嵌入部の厚み方向の一方側に延びる覆い部とを備え、
前記板状の嵌入部の一方の面は、面一に形成される前記他の部材に密着固定され、
前記覆い部は、前記板状の嵌入部の他方の面側から、前記一方の面とは反対方向に延びて形成され、該覆い部の長さは、前記笠木部材の端部と前記他の部材との間の隙間より長く形成されることを特徴とする介在部材。
【請求項１０】
前記他の部材は、壁面であることを特徴とする請求項９記載の介在部材。
【発明の詳細な説明】
【技術分野】
【０００１】
本発明は、住宅の吹き抜け部に設けられる腰壁や、キッチンに設けられるカウンターなどで、それらの天端部に、装飾や手摺りとしての機能を持たせるために設けられる笠木部材において、その継ぎ足し部分や直角コーナーなどの連結部における構造に関する。
【背景技術】
【０００２】
笠木部材は、上述のように、腰壁やカウンターなどの天端部に設けられる。図９は、吹き抜け部の腰壁１に、２本の笠木部材２，３が継ぎ足して使用される例を示している。笠木部材２，３は、現在、その殆どが、予め工場などで、無垢材や集成材が、所定長さ、幅および厚みに切断および仕上げ処理され、さらに耐火ボードの嵌り溝などが適宜形成されて作成されている。そして、実際の施工現場では、笠木部材２，３は、先に作成された腰壁１などの前記天端部に載せられて、ボルトや釘、或いは接着などで固定される。
【０００３】
したがって、笠木部材２，３は、工場作成のままで、たとえば４ｍの前記所定長さのものが単体で使用されるケースは少なく、たとえば腰壁１が４ｍを超えると、図９のように継ぎ足して使用されることになる。図９では、その継ぎ足し部分の接合面を、参照符号４で示している。また、図１０で示すように、笠木部材２，３がコーナーになっていると、図１１で示すように、そのコーナーの部分で、同じ角度に切断されて、その端面が接合されることになる。図１０は、前記吹き抜けにおいて、階段５を上り終えた上階の通路６が、Ｌ字状に形成されている例を示している。したがって、腰壁１もＬ字状に形成されており、笠木部材２，３は、直角コーナーで接合されている。
【０００４】
しかしながら、たとえば前記継ぎ足しの場合においては、笠木部材２，３を搭載する腰壁１に歪みを生じていると、つまり通直性が悪いと、図１２で示すように、接合面に、隙間（凹み、目地）７を生じることになる。同様に、たとえば９０°の直角コーナーの場合においては、２本の笠木部材の交差角が８９°や９１°となって直角が出ていなかったりすると、図１３および図１４で示すように、接合面に、隙間（凹み、目地）７を生じることになる。図１３の例は、交差角が９０°より大きい場合を示し、内側に隙間が開いており、図１４の例は、交差角が９０°より小さい場合を示し、外側に隙間が開いている。特に、近年は、施工時間や手間の削減の要望および作業者（大工）の減少に伴う技量の低下によって、このような問題は顕著である。
【０００５】
そこで、そのような問題を解決するために、直角コーナーのケースで、特許文献１が提案されている。図１５は特許文献１による笠木部材２，３の連結部の構造を示す斜視図であり、図１６は分解斜視図である。この特許文献１で注目すべきは、上述の図１１、１３、１４の従来技術のように、笠木部材２，３の端部に、そのまま４５°の接合面を形成して組合わせるのでは無く、笠木役物８を用いることである。つまり、現場にて、精度の高い４５°の接合面を都度形成するのではなく、この４５°の接合面の部分は、別途、工場にて、高精度に、つまり隙間７が生じないように密着面を形成した笠木役物８に置換え、笠木部材２，３の端部は、工場での加工そのまま、或いは適宜の長さに直角に切断するようになっている。
【０００６】
さらに、この特許文献１で注目すべきは、その笠木役物８は、笠木部材２，３よりも、高さおよび幅が１周り大きく形成され、笠木部材２，３の突き合わせ面には、掘込み９が形成されていることである。したがって、この掘込み９内に、笠木部材２，３の傾いた、或いは荒れた切断面を差し込むことで、前記隙間７を見えなくし、美観の向上を図っている。
【先行技術文献】
【特許文献】
【０００７】
【特許文献１】特開２００９−１９１４８３号公報
【発明の概要】
【発明が解決しようとする課題】
【０００８】
上述の従来技術は、隙間７を隠し、美観を向上することができるとともに、建築面からは、無闇に高い精度が要求されず、建築の手間やコストを削減することができる笠木部材の連結部構造である。しかしながら、笠木部材２，３に笠木役物８を覆い被せているので、上述のように、笠木役物８が笠木部材２，３に比べて１周り大きく、連結部がかえって注目を引くとともに、手触りも大きく変化するという問題がある。
【０００９】
本発明の目的は、笠木部材同士の連結部や、笠木部材と笠木役物との連結部において、より自然に、美しく、隙間を隠すことができる笠木部材の連結部構造およびその連結部に用いられる介在部材を提供することである。
【課題を解決するための手段】
【００１０】
本発明の笠木部材の連結部構造は、笠木部材の端部同士、或いは２本の笠木部材のコーナーに設けられる笠木役物と少なくとも一方の笠木部材の端部との間の連結部の構造において、前記笠木部材の端部同士の間、或いは笠木役物と少なくとも一方の笠木部材の端部との間に嵌り込む板状の嵌入部と、前記板状の嵌入部における側方および上方の外周縁から、曲折されて、前記板状の嵌入部の厚み方向の一方側に延びる覆い部とを備えて構成される介在部材を備え、連結される前記笠木役物または笠木部材の少なくとも一方の端面は面一に形成されて、該端面に前記板状の嵌入部の一方の面が密着固定され、かつ前記覆い部が前記板状の嵌入部の他方の面側から、前記一方の面とは反対方向に延びて形成され、前記覆い部の長さは、前記笠木部材の端部同士間、或いは笠木役物と笠木部材の端部との間の隙間より長く形成されることを特徴とする。
【００１１】
また、本発明の介在部材は、笠木部材の端部同士、或いは２本の笠木部材のコーナーに設けられる笠木役物と少なくとも一方の笠木部材の端部との間の連結部に用いられる介在部材であって、該介在部材は、前記笠木部材の端部同士の間、或いは笠木役物と少なくとも一方の笠木部材の端部との間に嵌り込む板状の嵌入部と、前記板状の嵌入部における側方および上方の外周縁から、曲折されて、前記板状の嵌入部の厚み方向の一方側に延びる覆い部とを備え、前記板状の嵌入部の一方の面は、面一に形成される前記笠木役物または笠木部材の少なくとも一方の端面に密着固定され、前記覆い部は、前記板状の嵌入部の他方の面側から、前記一方の面とは反対方向に延びて形成され、該覆い部の長さは、前記笠木部材の端部同士間、或いは笠木役物と笠木部材の端部との間の隙間より長く形成されることを特徴とする。
【００１２】
上記の構成によれば、所定長さの笠木部材を継ぎ足して延長したり、笠木役物を用いて２本の笠木部材を直角のコーナーなどに組合わせる場合において、たとえば前記継ぎ足しの場合においては、笠木部材を搭載する腰壁に歪みを生じていたり（通直性が悪い）、９０°の直角コーナーの場合においては、２本の笠木部材の交差角が８９°や９１°となって直角が出ていなかったりすると、前記笠木部材の端部同士の間や、笠木役物と笠木部材の端部との間には、隙間を生じることになる。そこで、本発明では、前記笠木部材の端部同士の間や、笠木役物と笠木部材の端部との間に、介在部材を設ける。
【００１３】
その介在部材は、嵌入部と、覆い部とを備えて構成される。前記嵌入部は、板状に形成されて、前記笠木部材の端部同士、或いは笠木役物と少なくとも一方の笠木部材の端部との間に嵌り込む。その板状の嵌入部における側方および上方の外周縁から曲折されて、前記覆い部が形成される。したがって、覆い部は、嵌入部の他方の面側に、前記笠木役物または笠木部材が嵌り込む掘込みを形成することになる。そして、連結される前記笠木役物または笠木部材の少なくとも一方の端面は、工場での加工などによって、高い平坦度で面一に形成されて、その端面には、前記板状の嵌入部の一方の面一な面が、ビス止めや接着などで密着固定される。一方、前記覆い部は前記板状の嵌入部の他方の面側から、前記一方の面とは反対方向に延びて形成され、その覆い部の長さは、前記笠木部材の端部同士間、或いは笠木役物と笠木部材の端部との間の隙間より長く形成される。
【００１４】
したがって、前記腰壁の歪みや、直角コーナーの角度が出ていなかったりして、或いは建築現場での切断による切断面の傾きや荒れなどによって生じる隙間（凹み、目地）を、前記覆い部によって覆い隠すことができる。また、その隙間を覆い隠すにあたっても、連結部に前記嵌入部の外周縁および覆い部が笠木部材の短手（幅）方向に帯状に延びて隆起しているだけであり、一方の笠木部材を他方の笠木部材に覆い被せたり、笠木部材に笠木役物を覆い被せたりした場合のように、一方の部材が他方の部材に比べて極端に大きくなって、連結部がかえって注目を引くようになったり、手触りが大きく変化するようなことはない。これによって、より自然に、美しく隙間を隠すことができ、顧客満足を得ることができるとともに、建築面でも、無闇に高い精度が要求されず、建築の手間やコストを削減することができる。
【００１５】
さらにまた、本発明の笠木部材の連結部構造では、前記板状の嵌入部の外周縁側の基端部およびその反対の前記覆い部の遊端部は、所定の厚みで隆起した後、斜面に形成されていることを特徴とする。
【００１６】
上記の構成によれば、前記板状の嵌入部の外周縁および覆い部の部分は、帯のように、前記笠木部材の端部同士間、或いは笠木役物と笠木部材の端部との間に隆起するように形成される。そこで、その隆起が、覆い被さる笠木部材または笠木役物から僅かな段部を形成した後、斜面で立ち上がるように形成する。
【００１７】
したがって、前記段部によって該覆い部の厚みを確保し、施工時などにおける割れなどの破損を防止しつつ、斜面によって、該覆い部によって生じる影を小さくして、美観を向上することができるとともに、手触りにも連続感を与えることができる。こうして、より高い顧客満足を得ることができる。
【００１８】
また、本発明の笠木部材の連結部構造では、前記板状の嵌入部の外周縁側の基端部およびその反対の前記覆い部の遊端部は、所定の厚みで隆起した後、円弧面に形成されていることを特徴とする。
【００１９】
上記の構成によれば、前記板状の嵌入部の外周縁および覆い部の部分は、帯のように、前記笠木部材の端部同士間、或いは笠木役物と笠木部材の端部との間に隆起するように形成される。そこで、その隆起が、覆い被さる笠木部材または笠木役物から僅かな段部を形成した後、円弧面で立ち上がるように形成する。
【００２０】
したがって、前記段部によって該覆い部の厚みを確保し、施工時などにおける割れなどの破損を防止しつつ、円弧面によって、該覆い部によって生じる影を小さくして、美観を向上することができるとともに、手触りにも連続感を与えることができる。こうして、より高い顧客満足を得ることができる。
【００２１】
さらにまた、本発明の笠木部材の連結部構造では、前記円弧面は、嵌入部の基端部および覆い部の遊端部側に比べて、中央部の曲率が大きく形成されることを特徴とする。
【００２２】
上記の構成によれば、覆い部の中央部付近は平坦に近くなり、手触りを、より改善することができる。
【００２３】
また、本発明の笠木部材の連結部構造では、前記覆い部の幅は、１０ｍｍであることを特徴とする。
【００２４】
上記の構成によれば、前記腰壁の歪みや、直角コーナーの角度のずれなどを、該覆い部によって覆い隠しつつ、該覆い部の幅を無闇に大きくしてしまった場合のような、美観を損ねたり、手触りに違和感を生じたりするようなこともない。
【００２５】
さらにまた、本発明の笠木部材の連結部構造では、前記覆い部の最大高さは、５ｍｍであることを特徴とする。
【００２６】
上記の構成によれば、前記覆い部の幅が１０ｍｍに対して、笠木部材または笠木役物からの覆い部の最大高さ、つまり厚みを、５ｍｍとすることで、該覆い部の強度を確保しつつ、笠木部材または笠木役物の表面からの隆起、すなわち突出量を、最少限にすることができる。
【００２７】
また、本発明の笠木部材の連結部構造では、前記笠木役物は、前記２本の笠木部材と同一形状の２つの部材を、予め４５°の切断面で切断し、その切断面が密着するように、該２つの部材が接合されて成り、前記介在部材は、前記２本の笠木部材の端部と、前記笠木役物との２箇所の連結部に介在され、前記嵌入部は、笠木役物の端面に密着固定されることを特徴とする。
【００２８】
上記の構成によれば、９０°の直角コーナーに設けられ、４５°の正確な接合面での接合を見せるために、工場などで予め作成される笠木役物と、２本の笠木部材との間に、前記介在部材を設ける。そして、その工場などで高精度に作成される笠木役物の面一な端面に、介在部材の嵌入部を固定する。
【００２９】
したがって、笠木役物と嵌入部との間は隙間が生じ難く、密着しており、現場での切断の可能性が高い笠木部材の側に、覆い部が重なることになり、笠木部材の角度のずれや、切断面の荒れを覆い隠すことができる。
【００３０】
さらにまた、本発明の笠木部材の連結部構造では、前記介在部材は、壁面と笠木部材との間に介在されて、前記嵌入部の一方の面が前記壁面に密着固定されることを特徴とする。
【００３１】
また、本発明の本発明の介在部材は、笠木部材の端部と、他の部材との間の連結部に用いられる介在部材であって、該介在部材は、前記笠木部材の端部と前記他の部材との間に嵌り込む板状の嵌入部と、前記板状の嵌入部における側方および上方の外周縁から、曲折されて、前記板状の嵌入部の厚み方向の一方側に延びる覆い部とを備え、前記板状の嵌入部の一方の面は、面一に形成される前記他の部材に密着固定され、前記覆い部は、前記板状の嵌入部の他方の面側から、前記一方の面とは反対方向に延びて形成され、該覆い部の長さは、前記笠木部材の端部と前記他の部材との間の隙間より長く形成されることを特徴とする。
【００３２】
そして、好ましくは、前記他の部材は、壁面であることを特徴とする。
【００３３】
上記の構成によれば、介在部材は、笠木部材の端部同士、或いは２本の笠木部材のコーナーだけでなく、他の部材、特に壁面の側に前記嵌入部が固定されることで、笠木部材の壁面との取り付き部分での隙間を覆い隠すことができる。
【００３４】
したがって、笠木部材の端部同士や笠木役物との連結部を優先して、そちらから施工し、生じた隙間を壁側で調整するような施工も可能になり、施工性を格段に向上することができる。
【発明の効果】
【００３５】
本発明の笠木部材の連結部構造およびその連結部に用いられる介在部材は、以上のように、所定長さの笠木部材を継ぎ足して延長したり、笠木役物を用いて２本の笠木部材を直角のコーナーなどに組合わせる場合において、前記笠木部材の端部同士の間や、笠木役物と笠木部材の端部との間に、介在部材を設け、その介在部材を、工場での加工などによって、高い平坦度で面一に形成される前記笠木役物または笠木部材の少なくとも一方の端面に密着固定される板状の嵌入部と、その板状の嵌入部における側方および上方の外周縁から曲折される覆い部とを備えて構成する。
【００３６】
それゆえ、腰壁の歪みや、直角コーナーの角度が出ていなかったりして、或いは建築現場での切断による切断面の傾きや荒れなどによって生じる隙間（凹み、目地）を、前記覆い部によって覆い隠すことができる。また、前記覆い部は笠木部材の短手（幅）方向に帯状に延びて隆起しているだけであり、一方の笠木部材を他方の笠木部材に覆い被せたり、笠木部材に笠木役物を覆い被せたりした場合のように、一方の部材が他方の部材に比べて極端に大きくなって、連結部がかえって注目を引くようになったり、手触りが大きく変化するようなことはない。これによって、より自然に、美しく隙間を隠すことができ、顧客満足を得ることができるとともに、建築面でも、無闇に高い精度が要求されず、建築の手間やコストを削減することができる。
【図面の簡単な説明】
【００３７】
【図１】本発明の実施の一形態に係る笠木部材の連結部構造を示す分解斜視図である。
【図２】本発明の実施の一形態に係る介在部材を取付けた状態の笠木役物を裏面から見た斜視図である。
【図３】前記介在部材の斜視図である。
【図４】前記介在部材の幅方向の縦断面図である。
【図５】笠木役物と笠木部材とを組合わせた部分を拡大して示す斜視図である。
【図６】前記介在部材を階段などの垂れ下がり部分に設けられる笠木役物に取付けた状態の斜視図である。
【図７】図６を異なる方向から見た斜視図である。
【図８】図６および図７を下方から見上げた斜視図である。
【図９】住宅の吹き抜け部における腰壁および笠木部材の様子を示す斜視図である。
【図１０】前記吹き抜け部における直角コーナーの腰壁および笠木部材の様子を示す斜視図である。
【図１１】前記直角コーナーにおける笠木部材の接合部の平面図である。
【図１２】腰壁の通直性が悪い場合の笠木部材の接合面の様子を示す平面図である。
【図１３】前記直角コーナーの角度が悪い場合の笠木部材の接合面の様子を示す平面図である。
【図１４】前記直角コーナーの角度が悪い場合の笠木部材の接合面の様子を示す平面図である。
【図１５】典型的な従来技術の笠木部材の連結部の構造を示す斜視図である。
【図１６】図１５の分解斜視図である。
【発明を実施するための形態】
【００３８】
図１は、本発明の実施の一形態に係る笠木部材の連結部構造を示す分解斜視図である。図１は、２本の笠木部材１１，１２を、それらの直角コーナーに設けられる笠木役物１３で連結する例を示しているが、本発明の連結部構造は、所定長さの笠木部材を、単純に継ぎ足して延長する場合にも実施することができる。図１では、笠木部材１１，１２を短く描いているが、それらは、工場出荷時は長く、たとえば４ｍである。また、たとえば、笠木部材１１，１２の幅は１７ｃｍ、笠木役物１３は２０ｃｍ平方、厚みは共に３ｃｍに形成される。
【００３９】
笠木部材１１，１２は、図９や図１０で示す笠木部材２，３として用いられ、腰壁１などの天端部に載せられて、ボルトや釘、或いは接着などで固定される。笠木役物１３は、図１０の直角コーナー１０部分に用いられる。これらの笠木部材１１，１２および笠木役物１３は、予め工場などで、無垢材や集成材が、前記のような所定長さ、幅および厚みに切断および仕上げ処理（たとえば光沢を出す平滑化の処理や、塗装など）されて作成されている。笠木部材１１，１２および笠木役物１３は、樹脂成型品や金属であってもよく、またそれらの表面に、木目印刷などが施されたものであってもよい。そして、これらの笠木部材１１，１２および笠木役物１３は、多くの場合、同じ材質で、色の物が、組合わせて、実際の施工に使用される。
【００４０】
本実施形態で注目すべきは、直角コーナーに設けられる笠木役物１３には、介在部材１４，１５が取付けられることである。その取付けは、施工現場で、都度行われてもよいが、前記工場などで予め行われることで、適切な治具や工具を使用して、高い精度で取付けることができる。図２は、介在部材１４，１５を取付けた状態の笠木役物１３を、裏面側から見た斜視図である。本実施形態の笠木役物１３は、笠木部材１１，１２と同一形状の部材が、４５°の切断面１３０で切断されて成る２つの部分１３１，１３２を組合わせて構成される。
【００４１】
その組合わせは、接合面となる前記切断面１３０に接着剤が塗布されて２つの部分１３１，１３２が組合わせられた後、一方の部分（図２では１３２）から、他方の部分（図２では１３１）へ向けて、前記切断面１３０と直角に差し込まれている図示しないボルトに、他方の部分（図２では１３１）に形成された孔１３３からナット１３４を締着することで行われる。この際、適宜、加熱処理が行われることもある。
【００４２】
こうして組合わせられる笠木部材１１，１２および笠木役物１３において、それらが木製の場合、或いは樹脂や金属製の場合でも表面に木目印刷が施されている場合、木目は、笠木部材１１，１２の長手方向に形成され、したがって前記木目は、笠木役物１３の切断面１３０において、９０°で交差する。図２の例では、部分１３１，１３２には、前記の４５°の切断の前に、腰壁を構成する骨材の表裏に化粧材として貼り付けられる耐火ボードが嵌り込む溝１３５が形成されている。図示していないが、笠木部材１１，１２にも、その裏面に、溝１３５と同様の溝が形成されている。
【００４３】
そして、本実施形態で注目すべきは、笠木部材１１，１２と笠木役物１３との間に、介在部材１４，１５が介在されることである。図３は介在部材１４の斜視図であり、図４（ａ）は幅方向の縦断面図である。また、図５には、笠木役物１３と笠木部材１２とを組合わせた部分を拡大して示している。さらに図５には、短い笠木部材１２の先に、もう１つの介在部材１６を設け、他の笠木部材を継ぎ足し可能となっている例を示している。すなわち、介在部材１４，１５は、直角コーナーを形成する笠木役物１３に笠木部材１１，１２を接続するために用いられ、介在部材１６は、笠木部材１２に他の笠木部材を継ぎ足すために用いられる。
【００４４】
介在部材１５，１６は、介在部材１４と同様に形成されるので、図３および図４（ａ）では、介在部材１４で説明する。介在部材１４は、笠木部材１２と他の笠木部材の端部同士の間、或いは笠木役物１３と笠木部材１１，１２の端部との間に嵌り込む板状の嵌入部１４１と、該嵌入部１４１における側方および上方の外周縁から、曲折されて、該嵌入部１４１の厚み方向の一方側に延びる覆い部１４２とを備えている。そして、嵌入部１４１の一方の面１４３は、面一に形成される笠木役物１３または笠木部材１１，１２の端面に密着固定され、覆い部１４２は、嵌入部１４１の他方の面１４４側から延びて形成され、該覆い部１４２の長さＬは、笠木部材１１，１２の端部同士間、或いは笠木役物１３と笠木部材１１，１２の端部との間の隙間（前述の図９、１０、１１において参照符号７で示す）より長く形成され、たとえば１０ｍｍである。また、たとえば、嵌入部１４１の厚みは５ｍｍ、したがって介在部材１４の全幅は１５ｍｍである。
【００４５】
なお、直角コーナーを形成する笠木役物１３の場合、２つの笠木部材１１，１２の内、何れか一方および両方の端面が、工場製作のまま、つまり施工現場で切断されたものではなく、非常に綺麗（面一）な場合で、かつ直交すべき笠木部材１１，１２の角度や寸法のずれを、一方の笠木部材で吸収可能な場合、介在部材１４，１５の一方のみが使用されてもよい。しかしながら、意匠的な対称性を得るために、そのようなずれの無い方も含めて、笠木部材１１，１２の両方との間に、それぞれ介在部材１４，１５が設けられてもよい。
【００４６】
さらに、介在部材１４の嵌入部１４１には、適宜の箇所に（図２では２箇所）、ネジ孔１４５が形成されている。ネジ孔１４５は、ネジ１４６の頭部が面１４４から突出しないように収容する収容部１４５１と、軸部が挿通する挿通部１４５２とを備えて構成される。このネジ孔１４５を挿通したネジ１４６が笠木役物１３や笠木部材１２などに螺着されることで、介在部材１４，１５および１６は、笠木役物１３および笠木部材１２に密着固定される。その固定の際、それらの間には適宜接着剤が塗布され、また加熱が行われてもよい。
【００４７】
図３を参照して、介在部材１４の嵌入部１４１の下部には、前述の耐火ボードが嵌り込む溝１３５に対応した溝１４０が形成されている。また、図４（ａ）を参照して、介在部材１４の覆い部１４２の部分は、たとえば前記１５ｍｍの帯のように、笠木部材１２と他の笠木部材の端部同士間、或いは笠木役物１３と笠木部材１１，１２の端部との間に、隆起するように形成される。そこで、その隆起が、覆い被さる笠木部材１１，１２または笠木役物１３から僅かな段部１４７を形成した後、斜面１４８で立ち上がるように形成されている。たとえば、前記段部１４７の高さＤは１ｍｍであり、斜面１４８の幅は４ｍｍであり、隆起する覆い部１４２の高さＨは３．５ｍｍである。
【００４８】
このように構成することで、所定長さの笠木部材１１，１２を継ぎ足して延長したり、笠木役物１３を用いて２本の笠木部材１１，１２を直角のコーナーなどに組合わせる場合において、継ぎ足しの場合においては笠木部材１１，１２を搭載する腰壁１（図６，７参照）に歪みを生じていたり（通直性が悪い）、９０°の直角コーナーの場合においては、２本の笠木部材１１，１２の交差角が８９°や９１°となって直角が出ていなかったり、或いはそれら継ぎ足しやコーナーの場合に共通して、建築現場での切断による切断面の傾きや荒れが生じているときに、笠木部材１１，１２の端部同士の間や、笠木役物１３と笠木部材１１，１２の端部との間に生じる隙間７（凹み、目地、図１２，１３参照）を、介在部材１４，１５，１６が、その覆い部１４２によって覆い隠すことができる。
【００４９】
そして、その隙間７を覆い隠すにあたっても、連結部に覆い部１４２が笠木部材１１，１２の短手（幅）方向に帯状に延びて隆起しているだけであり、一方の笠木部材を他方の笠木部材に覆い被せたり、図１５，１６で示すように笠木部材２，３に笠木役物８を覆い被せたりした場合のように、一方の部材が他方の部材に比べて極端に大きくなって、連結部がかえって注目を引くようになったり、手触りが大きく変化するようなことはない。これによって、より自然に、美しく隙間７を隠すことができ、顧客満足を得ることができるとともに、建築面でも、無闇に高い精度が要求されず、建築の手間やコストを削減することができる。
【００５０】
また、前記介在部材１４，１５を、笠木役物１３と笠木部材１１，１２の端部との間に設けるにあたって、予め工場などで、笠木役物１３の側に固定しておくことが好ましい。それは、上述のように、笠木役物１３は、９０°の直角コーナー１０（図１０参照）に設けられ、２本の笠木部材１１，１２と同一形状の２つの部材１３１，１３２が、４５°の正確な接合面（図１の切断面１３０）での接合を見せるために、工場などで予め作成されており、笠木部材１１，１２との接合面も、高い精度で面一に形成されるためである。こうして、工場などで高精度に作成される笠木役物１３の面一な端面に、介在部材１４，１５の嵌入部１４１を固定しておくことで、笠木役物１３と嵌入部１４１との間は隙間７が生じ難く、密着しており、現場での切断の可能性が高い笠木部材１１，１２の側に、覆い部１４２が重なることになり、笠木部材１１，１２の角度のずれや、切断面の荒れを覆い隠すことができる。
【００５１】
さらにまた、介在部材１４の覆い部１４２は、覆い被さる笠木部材１１，１２または笠木役物１３から僅かな段部１４７を形成した後、斜面１４８で立ち上がっているので、段部１４７によって該覆い部１４２の厚みを確保し、施工時などにおける割れなどの破損を防止しつつ、斜面１４８によって、該覆い部１４７によって生じる影を小さくして、美観を向上することができるとともに、手触りにも連続感を与えることができる。こうして、より高い顧客満足を得ることができる。
【００５２】
ここで、図４（ａ）の介在部材１４では、上述のように、覆い部１４２は、直線の斜面１４８で立ち上がっているけれども、図４（ｂ）の介在部材１４’の覆い部１４２’で示すように、板状の嵌入部１４１の外周縁側の基端部およびその反対の遊端部が、僅かな段部１４７から、円弧面１４９および１５０で立ち上がるように形成してもよい。このように構成してもまた、段部１４７によって該覆い部１４２’の厚みを確保し、施工時などにおける割れなどの破損を防止しつつ、円弧面１４９，１５０によって、該覆い部１４２’によって生じる影を小さくして、美観を向上することができるとともに、手触りにも連続感を与えることができる。
【００５３】
好ましくは、覆い部１４２’の基端部および遊端部側の円弧面１４９に比べて、中央部の円弧面１５０の曲率が大きく形成される。これによって、覆い部１４２’の中央部付近は平坦に近くなり、手触りを、より改善することができる。
【００５４】
また好ましくは、覆い部１４２の幅（前記長さＬ）を、１０ｍｍとすることで、腰壁１の歪みや、直角コーナーの角度のずれなどを、該覆い部１４２によって覆い隠しつつ、該覆い部１４２の幅を無闇に大きくしてしまった場合のような、美観を損ねたり、手触りに違和感を生じたりするようなこともない。
【００５５】
しかも、その覆い部１４２の幅が１０ｍｍに対して、最大高さ、つまり笠木部材１１，１２または笠木役物１３の表面からの厚みを、５ｍｍ以下（上述の例では高さＨで３．５ｍｍ）とすることで、該覆い部１４２の強度を確保しつつ、笠木部材１１，１２または笠木役物１３の表面からの隆起、すなわち突出量を、最少限にすることができる。
【００５６】
上述の例では、笠木部材１１，１２は、図９で示すような水平な部分に設けられているが、階段や踊り場などの、傾斜した部分に設けられてもよい。図６〜８は、直角の垂れ下がり部分に設けられる笠木役物１７に、介在部材１８を１つだけ取付けた例を示す斜視図である。図６および図７は上方から見ており、図８は下方から見ている。介在部材１８は、前述の介在部材１４，１５，１６と同様である。
【００５７】
笠木役物１７は、側方から見てＬ字状に形成されるので、たとえば、長手状の笠木部材が厚み方向に４５°傾斜した切断面で切断された物が組合わせて構成される。その裏面（Ｌ字の内側面）には、耐火ボードが嵌り込む溝１８０が形成されている。これらの図６〜８で示す笠木役物１７は、上述の直角の垂れ下がり部分、つまり階段の上層階側に設けられるが、下層階側に設けられる立ち上がり部分についても、側面視で逆Ｌ字状となるだけで、同様である。
【００５８】
同様に、笠木役物１３は、直角コーナーに限らず、たとえば１３５°などの他の角度で交差する腰壁上に設けられてもよい。
【００５９】
さらにまた、図３で示すような介在部材１４を、他の部材、特に壁面に設けることもできる。こうして、介在部材１４を、その嵌入部１４１をネジ１４６によって前記壁面に密着固定しておくことで、笠木部材１１，１２，１４の壁面との取り付き部分での隙間を覆い隠すことができる。したがって、笠木部材１１，１２，１４の端部同士や笠木役物１３との連結部を優先して、そちらから施工し、生じた隙間を壁側で調整するような施工も可能になり、施工性を格段に向上することができる。また、前記隙間は、従来ではコーキングで埋めていたが、そのような作業が不要になるとともに、より美しく仕上げることができる。
【符号の説明】
【００６０】
１    腰壁
２，３；１１，１２，１４    笠木部材
４    継ぎ足して使用される笠木部材の接合面
５    階段
６    通路
７    隙間
１０    直角コーナー
１３，１７    笠木役物
１３０  切断面
１３１，１３２    部分
１４，１４’，１５，１６    介在部材
１４１  嵌入部
１４２，１４２’  覆い部
１４３  一方の面
１４４  他方の面
１４７  段部
１４８  斜面
１４９，１５０  円弧面
【図１】
2016023456.tif 000003
【図２】
2016023456.tif 000004
【図３】
2016023456.tif 000005
【図４】
2016023456.tif 000006
【図５】
2016023456.tif 000007
【図６】
2016023456.tif 000008
【図７】
2016023456.tif 000009
【図８】
2016023456.tif 000010
【図９】
2016023456.tif 000011
【図１０】
2016023456.tif 000012
【図１１】
2016023456.tif 000013
【図１２】
2016023456.tif 000014
【図１３】
2016023456.tif 000015
【図１４】
2016023456.tif 000016
【図１５】
2016023456.tif 000017
【図１６】
2016023456.tif 000018